(57)【要約】【課題】天井設置型空気調和装置において、ドレンパンの高さ寸法を小さくして、薄型化を可能にする。【解決手段】空気調和装置１は、平面視が略長方形状のケーシング２と、熱交換器５と、送風ファン３と、ドレンパン２ｂと、ドレンポンプ７とを備えている。熱交換器５は、ケーシング２の平面視において、ケーシング２の２つの長辺に沿うようにケーシング２内に配置されている。ドレンパン２ｂは、熱交換器５の下側に配置され、熱交換器５において空気中の水分が凝縮されることによって発生したドレン水を受けるドレン水受け部２６ｅ、２６ｆ、２６ｇ及びドレン水貯留部２６ｈを有している。ドレンポンプ７は、ドレン水貯留部２６ｈからドレン水をケーシング２外に排出する。ドレン水貯留部２６ｈ及びドレンポンプ７は、ケーシング２の平面視において、ケーシング長辺方向の略中央に配置されている。【選択図】図３
2007255739.tif 000002
【特許請求の範囲】
【請求項１】
平面視が略長方形状のケーシング（２）と、
前記ケーシングの平面視において、前記ケーシングの２つの長辺に沿うように前記ケーシング内に配置された熱交換器（５）と、
前記ケーシングの平面視において、前記熱交換器のケーシング短辺方向間に配置された送風ファン（３）と、
前記熱交換器において空気中の水分が凝縮されることによって発生したドレン水を受ける溝部（２６ｅ、２６ｆ、２６ｇ、２６ｈ）が前記熱交換器の下側に形成されたドレンパン（２ｂ）と、
前記溝部で受けられたドレン水をケーシング外に排出するドレンポンプ（７）とを備え、
前記溝部の最下部（２６ｈ）及び前記ドレンポンプは、前記ケーシングの平面視において、ケーシング長辺方向の略中央に配置されている、
天井設置型空気調和装置（１）。
【請求項２】
前記ドレンポンプ（７）には、前記ドレンポンプが吐出するドレン水を前記ケーシングの外側に設置されるドレン排水管（７４）まで送るためのドレン管（７５）が接続されている、請求項１に記載の天井設置型空気調和装置（１）。
【請求項３】
前記ドレン管（７５）は、前記送風ファン（３）と前記熱交換器（５）との間に配置されている、請求項２に記載の天井設置型空気調和装置（１）。
【請求項４】
前記ドレン管（７５）は、前記溝部（２６ｅ、２６ｆ、２６ｇ、２６ｈ）の略直上の位置に配置されている、請求項３に記載の天井設置型空気調和装置（１）。
【請求項５】
前記ドレン管（７５）は、銅製である、請求項３又は４に記載の天井設置型空気調和装置（１）。
【請求項６】
前記ドレン管（７５）は、前記ドレン排水管（７４）に向かって下り勾配になるように配置されている、請求項２〜５のいずれかに記載の天井設置型空気調和装置（１）。
【請求項７】
前記熱交換器（５）には、前記ケーシング（２）の外側に設置される冷媒連絡管（５１、５２）との間で冷媒のやりとりをするための冷媒管（５３、５４）が接続されており、
前記ドレン管（７５）は、前記冷媒管が前記ケーシングを貫通する位置の近傍から前記ケーシングを貫通するように配置されている、
請求項２〜６のいずれかに記載の天井設置型空気調和装置（１）。
【請求項８】
前記ケーシング（２）の平面視において、前記熱交換器（５）の前記ケーシングの２つの長辺の一方に沿う部分（５ａ、５ｂ）のうちケーシング長辺方向略中央の部分である熱交中央部（５５ａ、５５ｂ）は、前記ケーシングの他方の長辺側に向かって突出している、請求項１〜７のいずれかに記載の天井設置型空気調和装置（１）。
【請求項９】
前記ケーシング（２）の平面視において、前記熱交換器（５）の前記ケーシングの２つの長辺の一方に沿う部分（５ａ、５ｂ）のうちケーシング長辺方向の端部である熱交端部（５６ａ、５６ｂ、５７ａ、５７ｂ）は、前記ケーシングの他方の長辺側に向かって延びている、請求項８に記載の天井設置型空気調和装置（１）。
【請求項１０】
前記ドレンポンプ（７）は、前記熱交中央部（５５ａ、５５ｂ）の反送風ファン側に配置されている、請求項８又は９に記載の天井設置型空気調和装置（１）。
【請求項１１】
前記ドレンポンプ（７）は、前記熱交換器（５）の前記ケーシングの２つの長辺の一方に沿う部分（５ａ、５ｂ）と、前記ケーシングの他方の長辺に沿う部分（５ｂ、５ａ）との間に配置されている、請求項１〜１０のいずれかに記載の天井設置型空気調和装置（１）。
【発明の詳細な説明】
【技術分野】
【０００１】
本発明は、天井設置型空気調和装置、特に、平面視が略長方形状のケーシングと、ケーシングの２つの長辺方向に沿うようにケーシング内に配置された熱交換器と、熱交換器の短辺方向間に配置された送風ファンとを備えた天井設置型空気調和装置に関する。
【背景技術】
【０００２】
従来の天井設置型空気調和装置として、平面視が略長方形状のケーシングを有しており、ケーシングの平面視において、ケーシングの２つの長辺に沿うように熱交換器が配置されるとともに、熱交換器のケーシング短辺方向間に送風ファンが配置されているものがある。このような天井設置型空気調和装置においては、熱交換器の下側にドレンパンが配置されている。ドレンパンには、熱交換器において空気中の水分が凝縮されることによって発生したドレン水を受けるドレン水受け部が熱交換器の配置に沿って形成されている。すなわち、ドレン水受け部は、ケーシングの平面視において、ドレンパンの２つの長辺に沿ってケーシング長辺方向の一端側から他端側に向かって延びるように形成されている。そして、２つのドレン水受け部には、ケーシング長辺方向の一端側から他端側に向かってドレン水が流れるように所定角度の勾配が設けられており、ケーシング長辺方向の他端付近には、ドレン水受け部の高さ位置よりも低い位置に設定されており、２つのドレン水受け部から流入するドレン水を貯留するドレン水貯留部が形成されている。ドレン水貯留部には、ドレン水受け部で受けられてドレン水貯留部に流入したドレン水をケーシング外に排出するためのドレンポンプが配置されている。
【特許文献１】特開平９−５３８３７号公報
【発明の開示】
【発明が解決しようとする課題】
【０００３】
しかし、従来の天井設置型空気調和装置では、上述のように、ケーシング長辺方向の他端付近に形成されたドレン水貯留部にドレンポンプが配置されており、ドレン水貯留部にドレン水が速やかに流入できるようにするために、ドレン水受け部のケーシング長辺方向の一端側から他端側にわたって勾配が設けられている。そして、従来の天井設置型空気調和装置では、このような勾配を確保するために、ドレンパンの高さ寸法を大きくするようにしている。
【０００４】
一方、最近では、天井設置型空気調和装置の高さ寸法を小さくして薄型化することが求められているが、上述のようなドレン水受け部の勾配の確保を目的としたドレンパンの高さ寸法の制約により、十分な薄型化が実現できていない。
本発明の課題は、平面視が略長方形状のケーシングと、ケーシングの２つの長辺方向に沿うようにケーシング内に配置された熱交換器と、熱交換器の短辺方向間に配置された送風ファンとを備えた天井設置型空気調和装置において、ドレンパンの高さ寸法を小さくして、薄型化を可能にすることにある。
【課題を解決するための手段】
【０００５】
第１の発明にかかる天井設置型空気調和装置は、平面視が略長方形状のケーシングと、熱交換器と、送風ファンと、ドレンパンと、ドレンポンプとを備えている。熱交換器は、ケーシングの平面視において、ケーシングの２つの長辺に沿うようにケーシング内に配置されている。送風ファンは、ケーシングの平面視において、熱交換器のケーシング短辺方向間に配置されている。ドレンパンは、熱交換器の下側に配置され、熱交換器において空気中の水分が凝縮されることによって発生したドレン水を受ける溝部を有している。ドレンポンプは、溝部で受けられたドレン水をケーシング外に排出する。溝部の最下部及びドレンポンプは、ケーシングの平面視において、ケーシング長辺方向の略中央に配置されている。
【０００６】
この天井設置型空気調和装置では、ドレンポンプ及びドレンパンの溝部の最下部がケーシング長辺方向の略中央に配置されているため、ドレンポンプ及びドレンパンの溝部の最下部がケーシング長辺方向の一端側に配置される場合に比べて、溝部のうち溝部の最下部から最も離れた位置から溝部の最下部までの距離が短くなる。これにより、この天井設置型空気調和装置では、ドレンパンの溝部に勾配を設けるために必要なドレンパンの高さ寸法を小さくすることができるため、天井設置型空気調和装置の薄型化が可能になる。
【０００７】
第２の発明にかかる天井設置型空気調和装置は、第１の発明にかかる天井設置型空気調和装置において、ドレンポンプには、ドレンポンプが吐出するドレン水をケーシングの外側に設置されるドレン排水管まで送るためのドレン管が接続されている。
【０００８】
第３の発明にかかる天井設置型空気調和装置は、第２の発明にかかる天井設置型空気調和装置において、ドレン管は、送風ファンと熱交換器との間に配置されている。
この天井設置型空気調和装置では、熱交換器を通過する空気が冷却される運転が行われると、空気中の水分が凝縮してドレン水が発生し、このドレン水が溝部で受けられた後に、ドレンポンプによってドレン管を通じてケーシング外のドレン排水管まで送られることになる。このとき、この天井設置型空気調和装置では、ドレン管が送風ファンと熱交換器との間に設置されているため、ドレン管内を流れるドレン水によって空気が冷却されることになる。これにより、この天井設置型空気調和装置では、熱交換器を通過する空気が冷却される運転が行われることにより発生したドレン水の冷熱を有効に利用することができる。
【０００９】
第４の発明にかかる天井設置型空気調和装置は、第３の発明にかかる天井設置型空気調和装置において、ドレン管は、溝部の略直上の位置に配置されている。
この天井設置型空気調和装置では、ドレン管が、溝部の略直上の位置に配置されているため、熱交換器を通過する空気が冷却される運転が行われることにより、ドレン管において発生したドレン水を確実に受けることができる。
【００１０】
第５の発明にかかる天井設置型空気調和装置は、第３又は第４の発明にかかる天井設置型空気調和装置において、ドレン管は、銅製である。
この天井設置型空気調和装置では、ドレン管が銅製であるため、熱伝導率が高く、ドレン水による空気の冷却を促進することができる。
第６の発明にかかる天井設置型空気調和装置は、第２〜第５の発明のいずれかにかかる天井設置型空気調和装置において、ドレン管は、ドレン排水管に向かって下り勾配になるように配置されている。
この天井設置型空気調和装置では、ドレン管がドレン排水管に向かって下り勾配になるように配置されているため、ドレン水のケーシング外への排水が促進され、ドレンポンプの停止時に逆流するドレン水の量を減らすことができる。
【００１１】
第７の発明にかかる天井設置型空気調和装置は、第２〜第６の発明のいずれかにかかる天井設置型空気調和装置において、熱交換器には、ケーシングの外側に設置される冷媒連絡管との間で冷媒のやりとりをするための冷媒管が接続されている。ドレン管は、冷媒管がケーシングを貫通する位置の近傍からケーシングを貫通するように配置されている。
この天井設置型空気調和装置では、ドレン管が、冷媒管がケーシングを貫通する位置の近傍からケーシングを貫通するように配置されているため、配管施工の作業性を向上させることができる。
【００１２】
第８の発明にかかる天井設置型空気調和装置は、第１〜第７の発明のいずれかにかかる天井設置型空気調和装置において、ケーシングの平面視において、熱交換器のケーシングの２つの長辺の一方に沿う部分のうちケーシング長辺方向略中央の部分である熱交中央部は、ケーシングの他方の長辺側に向かって突出している。
【００１３】
この天井設置型空気調和装置では、ケーシングの平面視において、熱交換器のケーシングの２つの長辺の一方に沿う部分のうちケーシング長辺方向略中央の部分である熱交中央部が、ケーシングの他方の長辺側に向かって突出しているため、ドレンパンの溝部のうち熱交換器のケーシングの２つの長辺の一方に沿う部分を、ケーシング長辺方向の略中央の位置において、ケーシングの他方の長辺側の部分に繋ぐことができる。しかも、熱交中央部をケーシングの他方の長辺側に向かって突出させることにより、熱交換器の伝熱面積を大きくすることができるため、熱交換能力を向上させたり、ケーシングの長辺方向のサイズを小さくすることができる。そして、ケーシングの長手方向のサイズを小さくする場合には、溝部のうち溝部の最下部から最も離れた位置から溝部の最下部までの距離がさらに短くなるため、ドレンパンの溝部に勾配を設けるために必要なドレンパンの高さ寸法をさらに小さくすることができる。
【００１４】
第９の発明にかかる天井設置型空気調和装置は、第８の発明にかかる天井設置型空気調和装置において、ケーシングの平面視において、熱交換器のケーシングの２つの長辺の一方に沿う部分のうちケーシング長辺方向の端部である熱交端部は、ケーシングの他方の長辺側に向かって延びている。
この天井設置型空気調和装置では、ケーシングの平面視において、熱交換器のケーシングの２つの長辺の一方に沿う部分のうちケーシング長辺方向の端部である熱交端部が、ケーシングの他方の長辺側に向かって延びているため、熱交換器の伝熱面積をさらに大きくすることができる。これにより、この天井設置型空気調和装置では、熱交換能力をさらに向上させたり、ケーシングの長辺方向のサイズをさらに小さくすることができる。そして、ケーシングの長手方向のサイズを小さくする場合には、溝部のうち溝部の最下部から最も離れた位置から溝部の最下部までの距離がさらに短くなるため、ドレンパンの溝部に勾配を設けるために必要なドレンパンの高さ寸法をさらに小さくすることができる。
【００１５】
第１０の発明にかかる天井設置型空気調和装置は、第８又は第９の発明にかかる天井設置型空気調和装置において、ドレンポンプは、熱交中央部の反送風ファン側に配置されている。
この天井設置型空気調和装置では、ドレンポンプを熱交中央部の反送風ファン側に配置することにより、熱交中央部をケーシングの他方の長辺側に向かって突出させることにより形成されたスペースを有効に利用することができる。
【００１６】
第１１の発明にかかる天井設置型空気調和装置は、第１〜第１０の発明のいずれかにかかる天井設置型空気調和装置において、ドレンポンプは、熱交換器のケーシングの２つの長辺の一方に沿う部分と、ケーシングの他方の長辺に沿う部分との間に配置されている。
この天井設置型空気調和装置では、ドレンポンプが、熱交換器のケーシングの２つの長辺の一方に沿う部分と、ケーシングの他方の長辺に沿う部分との間に配置されているため、ドレンポンプの運転音に起因する騒音を小さくすることができる。
【発明の効果】
【００１７】
以上の説明に述べたように、本発明によれば、以下の効果が得られる。
第１又は第２の発明では、ドレンパンの溝部に勾配を設けるために必要なドレンパンの高さ寸法を小さくすることができるため、天井設置型空気調和装置の薄型化が可能になる。
第３の発明では、熱交換器を通過する空気が冷却される運転が行われることにより発生したドレン水の冷熱を有効に利用することができる。
【００１８】
第４の発明では、熱交換器を通過する空気が冷却される運転が行われることにより、ドレン管において発生したドレン水を確実に受けることができる。
第５の発明では、ドレン水による空気の冷却を促進することができる。
第６の発明では、ドレン水のケーシング外への排水が促進され、ドレンポンプの停止時に逆流するドレン水の量を減らすことができる。
【００１９】
第７の発明では、配管施工の作業性を向上させることができる。
第８の発明では、ドレンパンの溝部のうち熱交換器のケーシングの２つの長辺の一方に沿う部分を、ケーシング長辺方向の略中央の位置において、ケーシングの他方の長辺側の部分に繋ぐことができる。しかも、熱交換器の伝熱面積を大きくすることができるため、熱交換能力を向上させたり、ケーシングの長辺方向のサイズを小さくすることができる。そして、ケーシングの長手方向のサイズを小さくする場合には、溝部のうち溝部の最下部から最も離れた位置から溝部の最下部までの距離がさらに短くなるため、ドレンパンの溝部に勾配を設けるために必要なドレンパンの高さ寸法をさらに小さくすることができる。
【００２０】
第９の発明では、熱交換器の伝熱面積をさらに大きくすることができるため、熱交換能力をさらに向上させたり、ケーシングの長辺方向のサイズをさらに小さくすることができる。そして、ケーシングの長手方向のサイズを小さくする場合には、溝部のうち溝部の最下部から最も離れた位置から溝部の最下部までの距離がさらに短くなるため、ドレンパンの溝部に勾配を設けるために必要なドレンパンの高さ寸法をさらに小さくすることができる。
【００２１】
第１０の発明では、熱交中央部をケーシングの他方の長辺側に向かって突出させることにより形成されたスペースを有効に利用することができる。
第１１の発明では、ドレンポンプの運転音に起因する騒音を小さくすることができる。
【発明を実施するための最良の形態】
【００２２】
以下、図面に基づいて、本発明にかかる天井設置型空気調和装置の実施形態について説明する。
（１）天井設置型空気調和装置の基本構成
図１に本発明の一実施形態にかかる天井設置型の空気調和装置１の外観斜視図（天井は省略）を示す。本実施形態の空気調和装置１は、天井埋込型の形態で設置される空気調和装置であり、主として、内部に各種構成機器を収納するケーシング２を備えている。
【００２３】
ケーシング２は、図１〜図６に示されるように、主として、平面視が略長方形状でありかつ下面が開口した箱状のケーシング本体２ａと、ケーシング本体２ａの下面の開口を覆うようにケーシング本体２ａの下部に装着されたドレンパン２ｂとを有している。ここで、図２は、空気調和装置１の概略断面図であって、図３のＡ−Ａ断面に相当する図である。図３は、天板２１を取り除いた状態の空気調和装置１を上方から見た概略平面図である。図４は、空気調和装置１の概略断面図であって、図３のＢ−Ｂ断面に相当する図である。図５は、空気調和装置１の概略断面図であって、図３のＣ−Ｃ断面に相当する図である。図６は、空気調和装置１の概略断面図であって、図３のＤ−Ｄ断面に相当する図である。
【００２４】
ケーシング本体２ａは、ケーシング２の上面及び側面を構成しており、その平面視において、長辺と短辺とが交互に連続するように形成された略長方形状の天板２１と、天板２１の周縁部から下方に延びる側板２２、２３、２４、２５とを有している。側板２２、２４は、それぞれ、天板２１の長辺に対応しており、互いに対向する一対の対辺を構成している。側板２３、２５は、それぞれ、天板２１の短辺に対応しており、互いに対向する一対の対辺を構成している。
【００２５】
ドレンパン２ｂは、ケーシング２の下面を構成し、その平面視において、天板２１と同様、長辺と短辺とが交互に連続するように形成された略長方形状の板状部材であり、主として、ドレンパン本体２６を有している。
ドレンパン本体２６には、ケーシング２の平面視において、複数（ここでは、２つ）の吸入開口２６ａ、２６ｂが形成されている。吸入開口２６ａ、２６ｂは、ケーシング２の平面視において、ドレンパン２ｂをケーシング長辺方向に２つに分割する面に対して略対称な位置に、かつ、ケーシング２の平面視において、ドレンパン２ｂをケーシング短辺方向の略中央の位置に配置されている。吸入開口２６ａ、２６ｂは、本実施形態において、略円形の孔である。ここで、ケーシング長辺方向とは、ケーシング２の側板２２、２４に沿う方向をいう。また、ケーシング短辺方向とは、ケーシング２の側板２３、２５に沿う方向をいい、ケーシング２の平面視において、ケーシング長辺方向に直交している。尚、吸入開口２６ａ、２６ｂのうち側板２３側の吸入開口を吸入開口２６ａとし、側板２５側の吸入開口を吸入開口２６ｂとする。
【００２６】
また、ドレンパン本体２６には、ケーシング２の平面視において、複数（ここでは、２つ）の吹出開口２６ｃ、２６ｄが形成されている。吹出開口２６ｃ、２６ｄは、ケーシング２の平面視において、ドレンパン本体２６のケーシング短辺方向の両端側（すなわち、側板２２、２４側）の位置に配置されている。吹出開口２６ｃ、２６ｄは、本実施形態において、ケーシング２の平面視において、ドレンパン本体２６の２つの長辺に沿って延びる細長い切り欠き部分である。尚、吹出開口２６ｃ、２６ｄのうち側板２２側の吹出開口を吹出開口２６ｃとし、側板２４側の吹出開口を吹出開口２６ｄとする。このように、ドレンパン本体２６に吹出開口２６ｃ、２６ｄが形成されることで、ケーシング２の下面には、ケーシング長辺方向に沿って、吹出開口２６ｃと側板２２の内面とによって囲まれた略長方形状の孔と、吹出開口２６ｄと側板２４の内面とによって囲まれた略長方形状の孔とが形成されている。
【００２７】
ケーシング２内には、送風ファン３が配置されている、送風ファン３は、本実施形態において、各吸入開口２６ａ、２６ｂに対向するように、かつ、回転軸線Ｏ−Ｏが上下方向に延びるように配置された２つの送風ファン３ａ、３ｂである。送風ファン３ａ、３ｂは、ターボファンからなる。送風ファン３ａは、天板２１の吸入開口２６ａに対向する位置に設けられたファンモータ３１ａと、ファンモータ３１ａに連結されて回転駆動される羽根車３２ａとを有しており、また、送風ファン３ｂは、天板２１の吸入開口２６ｂに対向する位置に設けられたファンモータ３１ａと、ファンモータ３１ａに連結されて回転駆動される羽根車３２ｂとを有している。羽根車３２ａ、３２ｂは、その下側から空気を吸入して外周側に向かって吹き出すことができる。
【００２８】
また、ドレンパン２ｂの吸入開口２６ａには、羽根車３２ａの吸入開口２６ａ側の先端付近から下方に向かって末広がりの形状を有するベルマウス４ａが配置されており、吸入開口２６ｂには、羽根車３２ｂの吸入開口２６ｂ側の先端付近から下方に向かって末広がりの形状を有するベルマウス４ｂが配置されている。
また、ケーシング２内には、ケーシング２の平面視において、ケーシング２の２つの長辺に沿うようにケーシング２内に熱交換器５が配置されている。熱交換器５は、本実施形態において、吹出開口２６ｃと送風ファン３ａ、３ｂとのケーシング短辺方向間をケーシング２の側板２２に沿って延びる熱交換器５ａと、吹出開口２６ｄと送風ファン３ａ、３ｂとのケーシング短辺方向間をケーシング２の側板２４に沿って延びる熱交換器５ｂとである。熱交換器５ａ、５ｂは、本実施形態において、側板２３の近傍位置から側板２５の近傍位置まで真っ直ぐに延びている。熱交換器５ａ、５ｂの上端は、ケーシング２の天板２１の内面からドレンパン２ｂの上面に向かって略鉛直下方に向かって延びている。熱交換器５ａ、５ｂは、例えば、クロスフィン等を用いたフィンアンドチューブ型熱交換器やコルゲートフィン等を用いた積層型熱交換器等からなる。熱交換器５には、ケーシング２の外側に設置される冷媒連絡管５１、５２との間で冷媒のやりとりするための冷媒管５３、５４が接続されており（熱交換器５との接続の詳細は図示せず）、ケーシング２の側板２３を貫通するように配置されている。冷媒連絡管５１、５２は、図示しない室外ユニット等に接続されており、空気調和装置１との間で冷媒を循環するための冷媒回路を構成している。
【００２９】
また、ケーシング２の下端部には、化粧パネル６が装着されている。化粧パネル６は、平面視において、ケーシング２（すなわち、天板２１やドレンパン２ｂ）よりも大きな略長方形状の部材であり、ケーシング２の２つの吸入開口２６ａ、２６ｂの両方に連通する吸入口６１と、ケーシング２の各吹出開口２６ｃ、２６ｄに連通する吹出口６２ａ、６２ｂとが形成されている。吹出口６２ａ、６２ｂは、吹出開口２６ｃ、２６ｄに上下方向に対向するように、かつ、化粧パネル６の長辺に沿うように配置された細長い略長方形状の孔である。吸入口６１は、吹出口６２ａと吹出口６２ｂとによって両側から挟まれる位置に配置された開口である。また、吸入口６１の略中央には、吸入口６１の開口サイズよりも小さなカバーパネル６１ａが配置されており、カバーパネル６１ａの化粧パネル短辺方向両側に実質的な吸入口が形成されている。さらに、吸入口６１のカバーパネル６１ａの上側には、フィルタ６１ｂが配置されている。
【００３０】
（２）ドレンパンの詳細構造及びドレンポンプ
まず、ドレンパン２ｂの詳細構造について説明する。ドレンパン２ｂには、熱交換器５において空気中の水分が凝縮されることによって発生したドレン水を受ける溝部としてのドレン水受け部２６ｅ、２６ｆ、２６ｇ及びドレン水貯留部２６ｈが形成されている。
ドレン水受け部２６ｅは、熱交換器５ａの下端が挿入可能な略Ｕ字形状の断面を有しており、熱交換器５ａの下側に配置されている、ドレン水受け部２６ｅは、その底面が、側板２５側の端部からケーシング長辺方向の略中央に向かって下り勾配をなすように、また、側板２３側の端部からケーシング長辺方向の略中央に向かって下り勾配をなすように形成されている。このドレン水受け部２６ｅにおける勾配の傾斜角度α（図４参照）は、ケーシング長辺方向側板２５側の端部又はケーシング長辺方向側板２３側の端部からケーシング長辺方向の略中央に向かってドレン水を流すことができる角度以上になるように設定されている。これにより、熱交換器５ａにおいてドレン水が発生した場合には、このドレン水は、ドレン水受け部２６ｅによって受けられて、ドレン水受け部２６ｅのケーシング長辺方向の略中央に向かって流れるようになっている。
【００３１】
ドレン水受け部２６ｆは、熱交換器５ｂの下端が挿入可能な略Ｕ字形状の断面を有しており、熱交換器５ｂの下側に配置されている。ドレン水受け部２６ｆは、ドレン水受け部２６ｅと同様に、その底面が、側板２５側の端部からケーシング長辺方向の略中央に向かって下り勾配をなすように、また、側板２３側の端部からケーシング長辺方向の略中央に向かって下り勾配をなすように形成されている。このドレン水受け部２６ｆにおける勾配の傾斜角度β（図５参照）は、ケーシング長辺方向側板２５側の端部又はケーシング長辺方向側板２３側の端部からケーシング長辺方向の略中央に向かってドレン水を流すことができる角度以上になるように設定されている。本実施形態では、傾斜角度βと傾斜角度αとは、同じ角度に設定されている。これにより、熱交換器５ｂにおいてドレン水が発生した場合には、このドレン水は、ドレン水受け部２６ｆによって受けられて、ドレン水受け部２６ｆのケーシング長辺方向の略中央に向かって流れるようになっている。
【００３２】
ドレン水受け部２６ｇは、本実施形態において、熱交換器５ｂのケーシング長辺方向略中央の位置からケーシング短辺方向側板２２側に向かって延びる略Ｕ字形状の断面を有している。より具体的には、ドレン水受け部２６ｇは、送風ファン３ａと送風ファン３ｂとのケーシング長辺方向間を延びるように配置されている。ドレン水受け部２６ｇは、その底面が、ドレン水受け部２６ｆ側の端部からケーシング短辺方向側板２２側に向かって下り勾配をなすように形成されている。このドレン水受け部２６ｇにおける勾配の傾斜角度γ（図６参照）は、ドレン水受け部２６ｆ側の端部からケーシング短辺方向側板２２側に向かってドレン水を流すことができる角度以上になるように設定されている。本実施形態では、傾斜角度γと傾斜角度α、βとは、同じ角度に設定されている。これにより、熱交換器５ｂにおいてドレン水が発生した場合には、このドレン水は、まず、上述のように、ドレン水受け部２６ｆによって受けられてドレン水受け部２６ｆのケーシング長辺方向の略中央まで流れた後、さらに、ドレン水受け部２６ｇのドレン水受け部２６ｆ側の端部からケーシング短辺方向側板２２側に向かって流れるようになっている。
【００３３】
ドレン水貯留部２６ｈは、本実施形態において、ドレンパン２ｂのケーシング長辺方向の略中央に配置された比較的大容量の容器部分である。より具体的には、ドレン水貯留部２６ｈは、送風ファン３ａと送風ファン３ｂとのケーシング長辺方向間に配置されており、平面視が略長方形状の容器部分となっている。ドレン水貯留部２６ｈは、その底面が、ドレン水受け部２６ｅのケーシング長辺方向の略中央の部分の底面の高さ、及び、ドレン水受け部２６ｇのケーシング短辺方向側板２２側の部分の底面の高さよりも低くなるように設定されており、熱交換器５において空気中の水分が凝縮されることによって発生したドレン水を受ける溝部としてのドレン水受け部２６ｅ、２６ｆ、２６ｇ及びドレン水貯留部２６ｈの中で最も底面が低い部分（すなわち、最下部）を構成している。そして、ドレン水貯留部２６ｈは、ドレン水受け部２６ｅのケーシング長辺方向の略中央の部分と連通しており、ドレン水受け部２６ｅにおいて受けられたドレン水を流入させることができるようになっている。より具体的には、ドレン水貯留部２６ｈは、ケーシング短辺方向側板２２側の部分がドレン水受け部２６ｅのケーシング長辺方向の略中央の部分に接するように配置されている。また、ドレン水貯留部２６ｈは、ドレン水受け部２６ｇのケーシング短辺方向側板２２側の部分と連通しており、ドレン水受け部２６ｆにおいて受けられたドレン水を、ドレン水受け部２６ｇを通じて流入させることができるようになっている。より具体的には、ドレン水貯留部２６ｈは、ケーシング短辺方向側板２４側の部分がドレン水受け部２６ｇのケーシング短辺方向側板２４側の部分に接するように配置されている。
【００３４】
尚、本実施形態においては、ドレン水受け部２６ｇが、ドレン水受け部２６ｆのケーシング長辺方向の略中央の部分から側板２２側に向かって延びており、かつ、ドレン水貯留部２６ｈがドレン水受け部２６ｅ寄りに配置されているが、これに限定されず、例えば、ドレン水受け部２６ｇが、ドレン水受け部２６ｅのケーシング長辺方向の略中央の部分から側板２４側に向かって延びており、かつ、ドレン水貯留部２６ｈがドレン水受け部２６ｆ寄りに配置されていてもよい。また、ドレン水受け部２６ｇが、ドレン水受け部２６ｅのケーシング長辺方向の略中央の部分から側板２４側に向かって延びるとともに、ドレン水受け部２６ｆのケーシング長辺方向の略中央の部分から側板２２側に向かって延びており、かつ、ドレン水貯留部２６ｈがドレン水受け部２６ｅとドレン水受け部２６ｆとのケーシング短辺方向の略中央に配置されていてもよい。
【００３５】
次に、ドレンポンプ７について説明する。ドレン水貯留部２６ｈには、ドレン水受け部２６ｅ、２６ｆ、２６ｇ及びドレン水貯留部２６ｈで受けられたドレン水をケーシング２外に排出するドレンポンプ７が配置されている。ドレンポンプ７は、主として、ポンプ本体７１と、ポンプ本体７１を回転駆動するポンプモータ７２とを有している。ポンプ本体７１は、本実施形態において、ドレン水貯留部２６ｈに貯留されたドレン水を汲み上げる型式のポンプであり、その下端部に位置する吸込口７１ａがドレン水貯留部２６ｈの底面に近接するように形成され、その側部（ここでは、側板２２側の側部）に位置する吐出口７１ｂが形成されている。ポンプモータ７２は、本実施形態において、ポンプ本体７１の上側に配置されており、例えば、サポート部材７３を介してポンプ本体７１を軸支した状態で天板２１に固定されている。
【００３６】
このように、本実施形態の空気調和装置１では、熱交換器５において空気中の水分が凝縮されることによって発生したドレン水を受ける溝部の最下部としてのドレン水貯留部２６ｈが、ドレンパン２ｂのケーシング長辺方向の略中央に配置されているため、従来の天井設置型の空気調和装置のように、ドレン水貯留部２６ｈがケーシング長辺方向の一端側（例えば、側板２３側）に配置される場合に比べて、ドレン水受け部２６ｅ、２６ｆのうちドレン水貯留部２６ｈから最も離れた部分（すなわち、ドレン水受け部２６ｅ、２６ｆのうちケーシング長辺方向の他端側（例えば、側板２５側）の部分）までの距離が短くなる。そうすると、上述のようにドレン水受け部２６ｅ、２６ｆに上述の傾斜角度αやβの勾配を設けるために必要なドレンパン２ｂの高さ寸法を小さくすることができ、その結果、空気調和装置１の薄型化が実現されている。また、空気調和装置１では、ドレンポンプ７が、熱交換器５のケーシング２の２つの長辺の一方（ここでは、側板２２に対応）に沿う部分である熱交換器５ａと、熱交換器５のケーシング２の２つの長辺の一方（ここでは、側板２４に対応）に沿う部分である熱交換器５ｂとの間に配置されているため、ドレンポンプ７の運転音に起因する騒音を小さくすることができるようになっている。
【００３７】
また、ポンプ本体７１の吐出口７１ｂには、ポンプ本体７１が吐出するドレン水をケーシング２の外側に設置されるドレン排水管７４まで送るためのドレン管７５が接続されている。これにより、冷房運転や除湿運転のように、送風ファン３から吹き出される空気が熱交換器５を通過して冷却される運転が行われることによって空気中の水分が凝縮してドレン水が発生すると、このドレン水がドレン管７５を通じてケーシング２外のドレン排水管７４まで送られることになる。そして、このドレン管７５は、送風ファン３（ここでは、送風ファン３ａ）と熱交換器５（ここでは、熱交換器５ａ）との間に配置されている。このように、ドレン管７５が送風ファン３と熱交換器５との間に設置されている場合には、送風ファン３から吹き出された空気がドレン管７５を通過することになる。そうすると、送風ファン３から吹き出された空気は、ドレン管７５内を流れるドレン水によって冷却されることになる。これにより、空気調和装置１では、冷房運転や除湿運転のような熱交換器５を通過する空気が冷却される運転が行われることにより発生したドレン水の冷熱を有効に利用することができるようになっている。しかも、本実施形態のように、ドレン管７５が送風ファン３と熱交換器５との間に配置されている場合（すなわち、ドレン管７５が流れの上流側に配置されている場合）には、送風ファン３から吹き出された空気が、熱交換器５内を流れる冷媒よりも少し温度の高いドレン水が流れるドレン管７５を通過した後に、熱交換器５を通過することになるため、温度レベルの高い冷熱源を先に空気の冷却に利用することができて、さらにドレン水の冷熱の有効利用が促進されることになる。
【００３８】
また、本実施形態において、ドレン管７５は、銅製である。このため、ドレン管７５の熱伝導率が高く、上述のドレン水による空気の冷却をさらに促進することができるようになっている。
また、本実施形態において、ドレン管７５は、熱交換器５において空気中の水分が凝縮されることによって発生したドレン水を受ける溝部としてのドレン水受け部２６ｅ、２６ｆ及びドレン水貯留部２６ｈの略直上の位置に配置されている。より具体的には、ドレン管７５は、ドレン水貯留部２６ｈの直上に位置する吐出口７１ｂから上方に向かって延びた後に、ドレン水貯留部２６ｈをケーシング短辺方向側板２２側に横切ってドレン水受け部２６ｅの直上の位置（ここでは、熱交換器５ａの送風ファン３側の位置）に達するまでケーシング短辺方向側板２２側に向かって延びている。さらに続いて、ドレン管７５は、ドレン水受け部２６ｅの直上の位置をケーシング長辺方向側板２３側に向かって延びた後に側板２３を貫通するように配置されている。このように、空気調和装置１では、ドレン管が、熱交換器５において空気中の水分が凝縮されることによって発生したドレン水を受ける溝部としてのドレン水受け部２６ｅ、２６ｆ及びドレン水貯留部２６ｈの直上の位置に配置されているため、熱交換器５を通過する空気が冷却される運転が行われることにより、ドレン管７５において発生したドレン水を確実に受けることができる。
【００３９】
また、ドレン管７５は、本実施形態において、ドレン排水管７４に向かって下り勾配になるように配置されている。より具体的には、ドレン管７５の大部分を占めるケーシング長辺方向側板２３側に向かって延びる部分７５ａが側板２３側に向かって下り勾配になるように設定されている。これにより、空気調和装置１では、ドレン水のケーシング２外への排水が促進され、ドレンポンプ７の停止時にドレン水貯留部２６ｈに逆流するドレン水の量を減らすことができるようになっている。
【００４０】
また、ドレン管７５は、冷媒管５３、５４がケーシング２の側板２３を貫通する位置の近傍の位置からケーシング２（ここでは、側板２３）を貫通するように配置されている。これにより、空気調和装置１では、冷媒管５３、５４の配管施工を行う際にドレン管７５を配管施工も併せて容易に行うことができ、配管施工の作業性を向上させることができるようになっている。一方、ドレン水のケーシング２外への排水性やドレンポンプ７の停止時の逆流防止等を考慮すると、ドレン管７５をできるだけ短くすることが望ましいが、本実施形態のようにドレンポンプ７がケーシング２の略中央に配置される場合には、ドレン管７５の長さが長くなってしまう。しかし、空気調和装置１では、上述のように、ドレン管７５をドレン排水管７４に向かって下り勾配になるように配置することで、ドレン水のケーシング２外への排水性やドレンポンプ７の停止時の逆流防止等に対する考慮がなされているため、ドレン管７５の長さを長くすることができるようになっている。すなわち、空気調和装置１では、本実施形態のようにドレンポンプ７がケーシング２の略中央に配置されるという、ドレン水のケーシング２外への排水性やドレンポンプ７の停止時の逆流防止等、又は、配管施工の作業性の向上に不利な機器配置でありながら、これらの問題が解決できるように構成されている。
【００４１】
（３）変形例１
上述の実施形態においては、熱交換器５ａ、５ｂが、図２や図３に示されるように、ケーシング２を長辺方向から見た際において、天板２１からドレン水受け部２６ｅ、２６ｆに向かって鉛直下向きに延びる形状を有しているが、図７や図８に示されるように、ケーシング２を長辺方向から見た際において、傾斜して配置されていてもよい。本変形例においては、熱交換器５ａは、送風ファン３ａ、３ｂに対して、上部が下部よりも遠い側（すなわち、ケーシング短辺方向側板２２側）に傾斜するように配置されている。熱交換器５ｂは、送風ファン３ａ、３ｂに対して、上部が下部よりも遠い側（すなわち、ケーシング短辺方向側板２４側）に傾斜するように配置されている。
【００４２】
本変形例では、熱交換器５をケーシング２内において傾斜するように配置しているため、熱交換器５の伝熱面積を大きくすることができるため、熱交換能力を向上させたり、ケーシング２の長辺方向のサイズを小さくすることができる。そして、ケーシング２の長手方向のサイズを小さくする場合には、ドレン水受け部２６ｅ、２６ｆのうちドレン水貯留部２６ｈから最も離れた部分（すなわち、ドレン水受け部２６ｅ、２６ｆのうちケーシング長辺方向の他端側（例えば、側板２５側）の部分）までの距離を短くなるため、ドレン水受け部２６ｅ、２６ｆに勾配を設けるために必要なドレンパン２ｂの高さ寸法を小さくすることができるようになる。
【００４３】
また、熱交換器５は、送風ファン３ａ、３ｂに対して、上部が下部よりも遠い側に傾斜するように配置されているため、溝部としてのドレン水受け部２６ｅの略直上に大きなスペースが形成されることになり、ドレン管７５をドレン水受け部２６ｅの略直上に確実に配置できるようになる。
（４）変形例２
上述の実施形態においては、図３に示されるように、ケーシング２の平面視において、熱交換器５ａ、５ｂが側板２３の近傍位置から側板２５の近傍位置まで真っ直ぐに延びており、これに対応するように、ドレンパン２ｂのドレン水受け部２６ｅ、２６ｆも側板２３の近傍位置から側板２５の近傍位置まで真っ直ぐに延び、かつ、ドレン水受け部２６ｅ、２６ｆとドレン水貯留部２６ｈとを連通させるドレン水受け部２６ｇがケーシング短辺方向に延びるように形成されているが、図９に示されるように、ケーシング２の平面視において、熱交換器５の２つの長辺の一方に沿う部分（ここでは、熱交換器５ｂ）のうち、ケーシング長辺方向の略中央の部分である熱交中央部５５ｂが、ケーシング２の他方の長辺側（すなわち、ケーシング短辺方向側板２２側）に向かって突出するような形状にし、これに対応するように、ドレンパン２ｂのドレン水受け部２６ｅ、２６ｆ（ここでは、ドレン水受け部２６ｆ）のケーシング長辺方向の略中央の部分をケーシング短辺方向側板２２側に突出するような形状にしてもよい。また、図１０に示されるように、熱交換器５ｂ及びドレン水受け部２６ｆだけでなく、熱交換器５ａ及びドレン水受け部２６ｅについても、熱交換器５ａのケーシング長辺方向の略中央の部分である熱交中央部５５ａが、ケーシング短辺方向側板２４側に向かって突出するような形状にし、これに対応するように、ドレンパン２ｂのドレン水受け部２６ｅのケーシング長辺方向の略中央の部分をケーシング短辺方向側板２４側に突出するような形状にしてもよい。尚、本変形例においては、熱交中央部５５ａ、５５ｂは、送風ファン３ａと送風ファン３ｂとのケーシング長辺方向間のスペースに対向する部分をいい、このスペースに向かって突出しているともいえる。
【００４４】
これにより、ドレンパン２ｂのドレン水受け部２６ｇを省略して、ケーシング長辺方向の略中央の位置において、ドレン水受け部２６ｅ、２６ｆとドレン水貯留部２６ｈとを直接繋ぐことができる。しかも、熱交中央部５５ｂをケーシング２の短辺方向側板２２側に突出させたり、熱交中央部５５ａをケーシング２の短辺方向側板２４側に突出させることによって、熱交換器５の伝熱面積を大きくすることができるため、熱交換能力を向上させたり、ケーシング２の長辺方向のサイズを小さくすることができる。そして、ケーシング２の長手方向のサイズを小さくする場合には、ドレン水受け部２６ｅ、２６ｆのうちドレン水貯留部２６ｈから最も離れた部分（すなわち、ドレン水受け部２６ｅ、２６ｆのうちケーシング長辺方向の他端側（例えば、側板２５側）の部分）までの距離を短くなるため、ドレン水受け部２６ｅ、２６ｆに勾配を設けるために必要なドレンパン２ｂの高さ寸法を小さくすることができるようになる。
【００４５】
また、図９や図１０に示されるように、熱交換器５ａ、５ｂの熱交中央部５５ａ、５５ｂをケーシング短辺方向に突出させるだけでなく、図１１に示されるように、熱交換器５ａのケーシング長辺方向側板２３側の端部である熱交端部５６ａやケーシング長辺方向側板２５側の端部である熱交端部５７ａをケーシング短辺方向側板２４側に向かって突出するような形状にしたり、熱交換器５ｂのケーシング長辺方向側板２３側の端部である熱交端部５６ｂやケーシング長辺方向側板２５側の端部である熱交端部５７ｂをケーシング短辺方向側板２２側に向かって突出するような形状にしてもよい。これにより、さらに、熱交換器５の伝熱面積を大きくすることができるため、熱交換能力を向上させたり、ケーシング２の長辺方向のサイズを小さくすることができる。そして、ケーシング２の長手方向のサイズを小さくする場合には、ドレン水受け部２６ｅ、２６ｆのうちドレン水貯留部２６ｈから最も離れた部分（すなわち、ドレン水受け部２６ｅ、２６ｆのうちケーシング長辺方向の他端側（例えば、側板２５側）の部分）までの距離を短くなるため、ドレン水受け部２６ｅ、２６ｆに勾配を設けるために必要なドレンパン２ｂの高さ寸法を小さくすることができるようになる。
【００４６】
また、図９、図１０及び図１１に示されるように、熱交換器５ａ、５ｂの熱交中央部５５ａ、５５ｂをケーシング短辺方向に突出させる場合には、熱交換器５ａ、５ｂの熱交中央部５５ａ、５５ｂの反送風ファン３側にスペースが形成されるため、このスペースを有効利用するため、例えば、図１２に示されるように、ドレン水受け部２６ｅのケーシング長辺方向の略中央の部分とドレン水受け部２６ｆのケーシング長辺方向の略中央の部分とをドレン水受け部２６ｇを介して繋ぐとともに、ドレン水受け部２６ｅ、２６ｆ（ここでは、ドレン水受け部２６ｅ）の反送風ファン３側にドレン水貯留部２６ｈを形成して、ドレン水受け部２６ｅ、２６ｆ（ここでは、ドレン水受け部２６ｅ）に繋ぎ、ドレン水貯留部２６ｈにドレンポンプ７を配置するようにしてもよい。
【００４７】
［他の実施形態］
以上、本発明の実施形態について図面に基づいて説明したが、具体的な構成は、これらの実施形態に限られるものではなく、発明の要旨を逸脱しない範囲で変更可能である。
例えば、上述の実施形態及びその変形例では、天井埋込型の形態で設置される空気調和装置に本発明を適用した例について説明したが、天井吊下型の形態で設置される空気調和装置に本発明を適用してもよい。
【産業上の利用可能性】
【００４８】
本発明を利用すれば、平面視が略長方形状のケーシングと、ケーシングの２つの長辺方向に沿うようにケーシング内に配置された熱交換器と、熱交換器の短辺方向間に配置された送風ファンとを備えた天井設置型空気調和装置において、ドレンパンの高さ寸法を小さくして、薄型化を可能にできる。
【図面の簡単な説明】
【００４９】
【図１】本発明の一実施形態にかかる天井設置型空気調和装置の外観斜視図である。
【図２】空気調和装置の概略断面図であって、図３のＡ−Ａ断面に相当する図である。
【図３】天板を取り除いた状態の空気調和装置を上方から見た概略平面図である。
【図４】空気調和装置の概略断面図であって、図３のＢ−Ｂ断面に相当する図である。
【図５】空気調和装置の概略断面図であって、図３のＣ−Ｃ断面に相当する図である。
【図６】空気調和装置の概略断面図であって、図３のＤ−Ｄ断面に相当する図である。
【図７】変形例１にかかる空気調和装置の概略断面図であって、図２に相当する図である。
【図８】変形例１にかかる天板を取り除いた状態の空気調和装置を上方から見た概略平面図である。
【図９】変形例２にかかる天板を取り除いた状態の空気調和装置を上方から見た概略平面図である。
【図１０】変形例２にかかる天板を取り除いた状態の空気調和装置を上方から見た概略平面図である。
【図１１】変形例２にかかる天板を取り除いた状態の空気調和装置を上方から見た概略平面図である。
【図１２】変形例２にかかる天板を取り除いた状態の空気調和装置を上方から見た概略平面図である。
【符号の説明】
【００５０】
１  空気調和装置
２  ケーシング
３  送風ファン
５  熱交換器
７  ドレンポンプ
２６ｅ、２６ｆ、２６ｇ  ドレン水受け部（溝部）
２６ｈ  ドレン水貯留部（溝部）
５５ａ、５５ｂ  熱交中央部
５６ａ、５６ｂ、５７ａ、５７ｂ  熱交端部
７５  ドレン管
【図１】
2007255739.tif 000003
【図２】
2007255739.tif 000004
【図３】
2007255739.tif 000005
【図４】
2007255739.tif 000006
【図５】
2007255739.tif 000007
【図６】
2007255739.tif 000008
【図７】
2007255739.tif 000009
【図８】
2007255739.tif 000010
【図９】
2007255739.tif 000011
【図１０】
2007255739.tif 000012
【図１１】
2007255739.tif 000013
【図１２】
2007255739.tif 000014
【手続補正書】
【提出日】平成19年6月18日(2007.6.18)
【手続補正１】
【補正対象書類名】特許請求の範囲
【補正対象項目名】全文
【補正方法】変更
【補正の内容】
【特許請求の範囲】
【請求項１】
平面視が略長方形状のケーシング（２）と、
前記ケーシングの平面視において、前記ケーシングの２つの長辺に沿うように前記ケーシング内に配置された熱交換器（５）と、
前記ケーシングの平面視において、前記熱交換器のケーシング短辺方向間で、かつ、ケーシング長辺方向に並んで配置された２つの送風ファン（３）と、
前記熱交換器において空気中の水分が凝縮されることによって発生したドレン水を受ける溝部（２６ｅ、２６ｆ、２６ｇ、２６ｈ）が、前記熱交換器の前記ケーシングの２つの長辺に沿う部分（５ａ、５ｂ）の下側の部分及び両部分をケーシング長辺方向の略中央で繋ぐように形成されたドレンパン（２ｂ）と、
前記溝部で受けられたドレン水をケーシング外に排出するドレンポンプ（７）とを備え、
前記溝部の最下部（２６ｈ）及び前記ドレンポンプは、前記ケーシングの平面視において、ケーシング長辺方向の略中央で、かつ、前記熱交換器の前記ケーシングの２つの長辺の一方に沿う部分（５ａ、５ｂ）と、前記ケーシングの他方の長辺に沿う部分（５ｂ、５ａ）との間に配置されている、
天井設置型空気調和装置（１）。
【請求項２】
前記ドレンポンプ（７）には、前記ドレンポンプが吐出するドレン水を前記ケーシングの外側に設置されるドレン排水管（７４）まで送るためのドレン管（７５）が接続されている、請求項１に記載の天井設置型空気調和装置（１）。
【請求項３】
前記ドレン管（７５）は、前記送風ファン（３）と前記熱交換器（５）との間に配置されている、請求項２に記載の天井設置型空気調和装置（１）。
【請求項４】
前記ドレン管（７５）は、前記溝部（２６ｅ、２６ｆ、２６ｇ、２６ｈ）の略直上の位置に配置されている、請求項３に記載の天井設置型空気調和装置（１）。
【請求項５】
前記ドレン管（７５）は、銅製である、請求項３又は４に記載の天井設置型空気調和装置（１）。
【請求項６】
前記ケーシング（２）の平面視において、前記熱交換器（５）の前記ケーシングの２つの長辺の一方に沿う部分（５ａ、５ｂ）のうちケーシング長辺方向略中央の部分である熱交中央部（５５ａ、５５ｂ）は、前記ケーシングの他方の長辺側に向かって突出している、請求項１〜５のいずれかに記載の天井設置型空気調和装置（１）。
【請求項７】
平面視が略長方形状のケーシング（２）と、
前記ケーシングの平面視において、前記ケーシングの２つの長辺に沿うように前記ケーシング内に配置された熱交換器（５）と、
前記ケーシングの平面視において、前記熱交換器のケーシング短辺方向間で、かつ、ケーシング長辺方向に並んで配置された２つの送風ファン（３）と、
前記熱交換器において空気中の水分が凝縮されることによって発生したドレン水を受ける溝部（２６ｅ、２６ｆ、２６ｇ、２６ｈ）が、前記熱交換器の前記ケーシングの２つの長辺に沿う部分（５ａ、５ｂ）の下側の部分及び両部分をケーシング長辺方向の略中央で繋ぐように形成されたドレンパン（２ｂ）と、
前記溝部で受けられたドレン水をケーシング外に排出するドレンポンプ（７）とを備え、
前記ケーシングの平面視において、前記熱交換器の前記ケーシングの２つの長辺の一方に沿う部分（５ａ、５ｂ）のうちケーシング長辺方向略中央の部分である熱交中央部（５５ａ、５５ｂ）は、前記ケーシングの他方の長辺側に向かって突出しており、
前記溝部の最下部（２６ｈ）及び前記ドレンポンプは、前記ケーシングの平面視において、ケーシング長辺方向の略中央で、かつ、前記熱交中央部を突出させることによって前記熱交中央部の反送風ファン側に形成されるスペースに配置されている、
天井設置型空気調和装置（１）。
【請求項８】
前記ドレンポンプ（７）には、前記ドレンポンプが吐出するドレン水を前記ケーシングの外側に設置されるドレン排水管（７４）まで送るためのドレン管（７５）が接続されている、請求項７に記載の天井設置型空気調和装置（１）。
【請求項９】
前記ドレン管（７５）は、前記ドレン排水管（７４）に向かって下り勾配になるように配置されている、請求項２〜６、８のいずれかに記載の天井設置型空気調和装置（１）。
【請求項１０】
前記熱交換器（５）には、前記ケーシング（２）の外側に設置される冷媒連絡管（５１、５２）との間で冷媒のやりとりをするための冷媒管（５３、５４）が接続されており、
前記ドレン管（７５）は、前記冷媒管が前記ケーシングを貫通する位置の近傍から前記ケーシングを貫通するように配置されている、
請求項２〜６、８、９のいずれかに記載の天井設置型空気調和装置（１）。
【請求項１１】
前記ケーシング（２）の平面視において、前記熱交換器（５）の前記ケーシングの２つの長辺の一方に沿う部分（５ａ、５ｂ）のうちケーシング長辺方向の端部である熱交端部（５６ａ、５６ｂ、５７ａ、５７ｂ）は、前記ケーシングの他方の長辺側に向かって延びている、請求項６〜１０のいずれかに記載の天井設置型空気調和装置（１）。
【手続補正２】
【補正対象書類名】明細書
【補正対象項目名】全文
【補正方法】変更
【補正の内容】
【発明の詳細な説明】
【技術分野】
【０００１】
本発明は、天井設置型空気調和装置、特に、平面視が略長方形状のケーシングと、ケーシングの２つの長辺方向に沿うようにケーシング内に配置された熱交換器と、熱交換器の短辺方向間に配置された送風ファンとを備えた天井設置型空気調和装置に関する。
【背景技術】
【０００２】
従来の天井設置型空気調和装置として、平面視が略長方形状のケーシングを有しており、ケーシングの平面視において、ケーシングの２つの長辺に沿うように熱交換器が配置されるとともに、熱交換器のケーシング短辺方向間に送風ファンが配置されているものがある。このような天井設置型空気調和装置においては、熱交換器の下側にドレンパンが配置されている。ドレンパンには、熱交換器において空気中の水分が凝縮されることによって発生したドレン水を受けるドレン水受け部が熱交換器の配置に沿って形成されている。すなわち、ドレン水受け部は、ケーシングの平面視において、ドレンパンの２つの長辺に沿ってケーシング長辺方向の一端側から他端側に向かって延びるように形成されている。そして、２つのドレン水受け部には、ケーシング長辺方向の一端側から他端側に向かってドレン水が流れるように所定角度の勾配が設けられており、ケーシング長辺方向の他端付近には、ドレン水受け部の高さ位置よりも低い位置に設定されており、２つのドレン水受け部から流入するドレン水を貯留するドレン水貯留部が形成されている。ドレン水貯留部には、ドレン水受け部で受けられてドレン水貯留部に流入したドレン水をケーシング外に排出するためのドレンポンプが配置されている。
【特許文献１】特開平９−５３８３７号公報
【発明の開示】
【発明が解決しようとする課題】
【０００３】
しかし、従来の天井設置型空気調和装置では、上述のように、ケーシング長辺方向の他端付近に形成されたドレン水貯留部にドレンポンプが配置されており、ドレン水貯留部にドレン水が速やかに流入できるようにするために、ドレン水受け部のケーシング長辺方向の一端側から他端側にわたって勾配が設けられている。そして、従来の天井設置型空気調和装置では、このような勾配を確保するために、ドレンパンの高さ寸法を大きくするようにしている。
【０００４】
一方、最近では、天井設置型空気調和装置の高さ寸法を小さくして薄型化することが求められているが、上述のようなドレン水受け部の勾配の確保を目的としたドレンパンの高さ寸法の制約により、十分な薄型化が実現できていない。
【０００５】
本発明の課題は、平面視が略長方形状のケーシングと、ケーシングの２つの長辺方向に沿うようにケーシング内に配置された熱交換器と、熱交換器の短辺方向間に配置された送風ファンとを備えた天井設置型空気調和装置において、ドレンパンの高さ寸法を小さくして、薄型化を可能にすることにある。
【課題を解決するための手段】
【０００６】
第１の発明にかかる天井設置型空気調和装置は、平面視が略長方形状のケーシングと、熱交換器と、送風ファンと、ドレンパンと、ドレンポンプとを備えている。熱交換器は、ケーシングの平面視において、ケーシングの２つの長辺に沿うようにケーシング内に配置されている。送風ファンは、２つあり、ケーシングの平面視において、熱交換器のケーシング短辺方向間で、かつ、ケーシング長辺方向に並んで配置されている。ドレンパンは、熱交換器において空気中の水分が凝縮されることによって発生したドレン水を受ける溝部を有している。溝部は、熱交換器の前記ケーシングの２つの長辺に沿う部分の下側の部分及び両部分をケーシング長辺方向の略中央で繋ぐように形成されている。ドレンポンプは、溝部で受けられたドレン水をケーシング外に排出する。溝部の最下部及びドレンポンプは、ケーシングの平面視において、ケーシング長辺方向の略中央で、かつ、熱交換器のケーシングの２つの長辺の一方に沿う部分と、ケーシングの他方の長辺に沿う部分との間に配置されている。
【０００７】
この天井設置型空気調和装置では、ドレンポンプ及びドレンパンの溝部の最下部がケーシング長辺方向の略中央に配置されているため、ドレンポンプ及びドレンパンの溝部の最下部がケーシング長辺方向の一端側に配置される場合に比べて、溝部のうち溝部の最下部から最も離れた位置から溝部の最下部までの距離が短くなる。これにより、この天井設置型空気調和装置では、ドレンパンの溝部に勾配を設けるために必要なドレンパンの高さ寸法を小さくすることができるため、天井設置型空気調和装置の薄型化が可能になる。
【０００８】
しかも、この天井設置型空気調和装置では、ドレンポンプが、熱交換器のケーシングの２つの長辺の一方に沿う部分と、ケーシングの他方の長辺に沿う部分との間に配置されているため、ドレンポンプの運転音に起因する騒音を小さくすることができる。
【０００９】
第２の発明にかかる天井設置型空気調和装置は、第１の発明にかかる天井設置型空気調和装置において、ドレンポンプには、ドレンポンプが吐出するドレン水をケーシングの外側に設置されるドレン排水管まで送るためのドレン管が接続されている。
【００１０】
第３の発明にかかる天井設置型空気調和装置は、第２の発明にかかる天井設置型空気調和装置において、ドレン管は、送風ファンと熱交換器との間に配置されている。
【００１１】
この天井設置型空気調和装置では、熱交換器を通過する空気が冷却される運転が行われると、空気中の水分が凝縮してドレン水が発生し、このドレン水が溝部で受けられた後に、ドレンポンプによってドレン管を通じてケーシング外のドレン排水管まで送られることになる。このとき、この天井設置型空気調和装置では、ドレン管が送風ファンと熱交換器との間に設置されているため、ドレン管内を流れるドレン水によって空気が冷却されることになる。これにより、この天井設置型空気調和装置では、熱交換器を通過する空気が冷却される運転が行われることにより発生したドレン水の冷熱を有効に利用することができる。
【００１２】
第４の発明にかかる天井設置型空気調和装置は、第３の発明にかかる天井設置型空気調和装置において、ドレン管は、溝部の略直上の位置に配置されている。
【００１３】
この天井設置型空気調和装置では、ドレン管が、溝部の略直上の位置に配置されているため、熱交換器を通過する空気が冷却される運転が行われることにより、ドレン管において発生したドレン水を確実に受けることができる。
【００１４】
第５の発明にかかる天井設置型空気調和装置は、第３又は第４の発明にかかる天井設置型空気調和装置において、ドレン管は、銅製である。
【００１５】
この天井設置型空気調和装置では、ドレン管が銅製であるため、熱伝導率が高く、ドレン水による空気の冷却を促進することができる。
【００１６】
第６の発明にかかる天井設置型空気調和装置は、第１〜第５の発明のいずれかにかかる天井設置型空気調和装置において、ケーシングの平面視において、熱交換器のケーシングの２つの長辺の一方に沿う部分のうちケーシング長辺方向略中央の部分である熱交中央部は、ケーシングの他方の長辺側に向かって突出している。
【００１７】
この天井設置型空気調和装置では、ケーシングの平面視において、熱交換器のケーシングの２つの長辺の一方に沿う部分のうちケーシング長辺方向略中央の部分である熱交中央部が、ケーシングの他方の長辺側に向かって突出しているため、ドレンパンの溝部のうち熱交換器のケーシングの２つの長辺の一方に沿う部分を、ケーシング長辺方向の略中央の位置において、ケーシングの他方の長辺側の部分に繋ぐことができる。しかも、熱交中央部をケーシングの他方の長辺側に向かって突出させることにより、熱交換器の伝熱面積を大きくすることができるため、熱交換能力を向上させたり、ケーシングの長辺方向のサイズを小さくすることができる。そして、ケーシングの長手方向のサイズを小さくする場合には、溝部のうち溝部の最下部から最も離れた位置から溝部の最下部までの距離がさらに短くなるため、ドレンパンの溝部に勾配を設けるために必要なドレンパンの高さ寸法をさらに小さくすることができる。
【００１８】
第７の発明にかかる天井設置型空気調和装置は、平面視が略長方形状のケーシングと、熱交換器と、送風ファンと、ドレンパンと、ドレンポンプとを備えている。熱交換器は、ケーシングの平面視において、ケーシングの２つの長辺に沿うようにケーシング内に配置されている。送風ファンは、２つあり、ケーシングの平面視において、熱交換器のケーシング短辺方向間で、かつ、ケーシング長辺方向に並んで配置されている。ドレンパンは、熱交換器において空気中の水分が凝縮されることによって発生したドレン水を受ける溝部を有している。溝部は、熱交換器の前記ケーシングの２つの長辺に沿う部分の下側の部分及び両部分をケーシング長辺方向の略中央で繋ぐように形成されている。ドレンポンプは、溝部で受けられたドレン水をケーシング外に排出する。ケーシングの平面視において、熱交換器のケーシングの２つの長辺の一方に沿う部分のうちケーシング長辺方向略中央の部分である熱交中央部は、ケーシングの他方の長辺側に向かって突出している。溝部の最下部及びドレンポンプは、ケーシングの平面視において、ケーシング長辺方向の略中央で、かつ、熱交中央部を突出させることによって熱交中央部の反送風ファン側に形成されるスペースに配置されている。
【００１９】
この天井設置型空気調和装置では、ドレンポンプ及びドレンパンの溝部の最下部がケーシング長辺方向の略中央に配置されているため、ドレンポンプ及びドレンパンの溝部の最下部がケーシング長辺方向の一端側に配置される場合に比べて、溝部のうち溝部の最下部から最も離れた位置から溝部の最下部までの距離が短くなる。これにより、この天井設置型空気調和装置では、ドレンパンの溝部に勾配を設けるために必要なドレンパンの高さ寸法を小さくすることができるため、天井設置型空気調和装置の薄型化が可能になる。
【００２０】
しかも、この天井設置型空気調和装置では、ケーシングの平面視において、熱交換器のケーシングの２つの長辺の一方に沿う部分のうちケーシング長辺方向略中央の部分である熱交中央部が、ケーシングの他方の長辺側に向かって突出しているため、ドレンパンの溝部のうち熱交換器のケーシングの２つの長辺の一方に沿う部分を、ケーシング長辺方向の略中央の位置において、ケーシングの他方の長辺側の部分に繋ぐことができる。
【００２１】
また、熱交中央部をケーシングの他方の長辺側に向かって突出させることにより、熱交換器の伝熱面積を大きくすることができるため、熱交換能力を向上させたり、ケーシングの長辺方向のサイズを小さくすることができる。ここで、ケーシングの長手方向のサイズを小さくする場合には、溝部のうち溝部の最下部から最も離れた位置から溝部の最下部までの距離がさらに短くなるため、ドレンパンの溝部に勾配を設けるために必要なドレンパンの高さ寸法をさらに小さくすることができる。
【００２２】
さらに、この天井設置型空気調和装置では、ドレンポンプを熱交中央部の反送風ファン側に配置することにより、熱交中央部をケーシングの他方の長辺側に向かって突出させることにより形成されたスペースを有効に利用することができる。
【００２３】
第８の発明にかかる天井設置型空気調和装置は、第７の発明にかかる天井設置型空気調和装置において、ドレンポンプには、ドレンポンプが吐出するドレン水をケーシングの外側に設置されるドレン排水管まで送るためのドレン管が接続されている。
【００２４】
第９の発明にかかる天井設置型空気調和装置は、第２〜第６、第８の発明のいずれかにかかる天井設置型空気調和装置において、ドレン管は、ドレン排水管に向かって下り勾配になるように配置されている。
【００２５】
この天井設置型空気調和装置では、ドレン管がドレン排水管に向かって下り勾配になるように配置されているため、ドレン水のケーシング外への排水が促進され、ドレンポンプの停止時に逆流するドレン水の量を減らすことができる。
【００２６】
第１０の発明にかかる天井設置型空気調和装置は、第２〜第６、第８、第９の発明のいずれかにかかる天井設置型空気調和装置において、熱交換器には、ケーシングの外側に設置される冷媒連絡管との間で冷媒のやりとりをするための冷媒管が接続されている。ドレン管は、冷媒管がケーシングを貫通する位置の近傍からケーシングを貫通するように配置されている。
【００２７】
この天井設置型空気調和装置では、ドレン管が、冷媒管がケーシングを貫通する位置の近傍からケーシングを貫通するように配置されているため、配管施工の作業性を向上させることができる。
【００２８】
第１１の発明にかかる天井設置型空気調和装置は、第６〜第１０の発明のいずれかにかかる天井設置型空気調和装置において、ケーシングの平面視において、熱交換器のケーシングの２つの長辺の一方に沿う部分のうちケーシング長辺方向の端部である熱交端部は、ケーシングの他方の長辺側に向かって延びている。
【００２９】
この天井設置型空気調和装置では、ケーシングの平面視において、熱交換器のケーシングの２つの長辺の一方に沿う部分のうちケーシング長辺方向の端部である熱交端部が、ケーシングの他方の長辺側に向かって延びているため、熱交換器の伝熱面積をさらに大きくすることができる。これにより、この天井設置型空気調和装置では、熱交換能力をさらに向上させたり、ケーシングの長辺方向のサイズをさらに小さくすることができる。そして、ケーシングの長手方向のサイズを小さくする場合には、溝部のうち溝部の最下部から最も離れた位置から溝部の最下部までの距離がさらに短くなるため、ドレンパンの溝部に勾配を設けるために必要なドレンパンの高さ寸法をさらに小さくすることができる。
【発明の効果】
【００３０】
以上の説明に述べたように、本発明によれば、以下の効果が得られる。
【００３１】
第１又は第２の発明では、ドレンパンの溝部に勾配を設けるために必要なドレンパンの高さ寸法を小さくすることができるため、天井設置型空気調和装置の薄型化が可能になる。しかも、ドレンポンプの運転音に起因する騒音を小さくすることができる。
【００３２】
第３の発明では、熱交換器を通過する空気が冷却される運転が行われることにより発生したドレン水の冷熱を有効に利用することができる。
【００３３】
第４の発明では、熱交換器を通過する空気が冷却される運転が行われることにより、ドレン管において発生したドレン水を確実に受けることができる。
【００３４】
第５の発明では、ドレン水による空気の冷却を促進することができる。
【００３５】
第６の発明では、ドレンパンの溝部のうち熱交換器のケーシングの２つの長辺の一方に沿う部分を、ケーシング長辺方向の略中央の位置において、ケーシングの他方の長辺側の部分に繋ぐことができる。しかも、熱交換器の伝熱面積を大きくすることができるため、熱交換能力を向上させたり、ケーシングの長辺方向のサイズを小さくすることができる。そして、ケーシングの長手方向のサイズを小さくする場合には、溝部のうち溝部の最下部から最も離れた位置から溝部の最下部までの距離がさらに短くなるため、ドレンパンの溝部に勾配を設けるために必要なドレンパンの高さ寸法をさらに小さくすることができる。
【００３６】
第７又は第８の発明では、ドレンパンの溝部に勾配を設けるために必要なドレンパンの高さ寸法を小さくすることができるため、天井設置型空気調和装置の薄型化が可能になる。しかも、ドレンパンの溝部のうち熱交換器のケーシングの２つの長辺の一方に沿う部分を、ケーシング長辺方向の略中央の位置において、ケーシングの他方の長辺側の部分に繋ぐことができる。また、熱交換器の伝熱面積を大きくすることができるため、熱交換能力を向上させたり、ケーシングの長辺方向のサイズを小さくすることができる。ここで、ケーシングの長手方向のサイズを小さくする場合には、溝部のうち溝部の最下部から最も離れた位置から溝部の最下部までの距離がさらに短くなるため、ドレンパンの溝部に勾配を設けるために必要なドレンパンの高さ寸法をさらに小さくすることができる。さらに、熱交中央部をケーシングの他方の長辺側に向かって突出させることにより形成されたスペースを有効に利用することができる。
【００３７】
第９の発明では、ドレン水のケーシング外への排水が促進され、ドレンポンプの停止時に逆流するドレン水の量を減らすことができる。
【００３８】
第１０の発明では、配管施工の作業性を向上させることができる。
【００３９】
第１１の発明では、熱交換器の伝熱面積をさらに大きくすることができるため、熱交換能力をさらに向上させたり、ケーシングの長辺方向のサイズをさらに小さくすることができる。そして、ケーシングの長手方向のサイズを小さくする場合には、溝部のうち溝部の最下部から最も離れた位置から溝部の最下部までの距離がさらに短くなるため、ドレンパンの溝部に勾配を設けるために必要なドレンパンの高さ寸法をさらに小さくすることができる。
【発明を実施するための最良の形態】
【００４０】
以下、図面に基づいて、本発明にかかる天井設置型空気調和装置の実施形態について説明する。
【００４１】
（１）天井設置型空気調和装置の基本構成
図１に本発明の一実施形態にかかる天井設置型の空気調和装置１の外観斜視図（天井は省略）を示す。本実施形態の空気調和装置１は、天井埋込型の形態で設置される空気調和装置であり、主として、内部に各種構成機器を収納するケーシング２を備えている。
【００４２】
ケーシング２は、図１〜図６に示されるように、主として、平面視が略長方形状でありかつ下面が開口した箱状のケーシング本体２ａと、ケーシング本体２ａの下面の開口を覆うようにケーシング本体２ａの下部に装着されたドレンパン２ｂとを有している。ここで、図２は、空気調和装置１の概略断面図であって、図３のＡ−Ａ断面に相当する図である。図３は、天板２１を取り除いた状態の空気調和装置１を上方から見た概略平面図である。図４は、空気調和装置１の概略断面図であって、図３のＢ−Ｂ断面に相当する図である。図５は、空気調和装置１の概略断面図であって、図３のＣ−Ｃ断面に相当する図である。図６は、空気調和装置１の概略断面図であって、図３のＤ−Ｄ断面に相当する図である。
【００４３】
ケーシング本体２ａは、ケーシング２の上面及び側面を構成しており、その平面視において、長辺と短辺とが交互に連続するように形成された略長方形状の天板２１と、天板２１の周縁部から下方に延びる側板２２、２３、２４、２５とを有している。側板２２、２４は、それぞれ、天板２１の長辺に対応しており、互いに対向する一対の対辺を構成している。側板２３、２５は、それぞれ、天板２１の短辺に対応しており、互いに対向する一対の対辺を構成している。
【００４４】
ドレンパン２ｂは、ケーシング２の下面を構成し、その平面視において、天板２１と同様、長辺と短辺とが交互に連続するように形成された略長方形状の板状部材であり、主として、ドレンパン本体２６を有している。
【００４５】
ドレンパン本体２６には、ケーシング２の平面視において、複数（ここでは、２つ）の吸入開口２６ａ、２６ｂが形成されている。吸入開口２６ａ、２６ｂは、ケーシング２の平面視において、ドレンパン２ｂをケーシング長辺方向に２つに分割する面に対して略対称な位置に、かつ、ケーシング２の平面視において、ドレンパン２ｂをケーシング短辺方向の略中央の位置に配置されている。吸入開口２６ａ、２６ｂは、本実施形態において、略円形の孔である。ここで、ケーシング長辺方向とは、ケーシング２の側板２２、２４に沿う方向をいう。また、ケーシング短辺方向とは、ケーシング２の側板２３、２５に沿う方向をいい、ケーシング２の平面視において、ケーシング長辺方向に直交している。尚、吸入開口２６ａ、２６ｂのうち側板２３側の吸入開口を吸入開口２６ａとし、側板２５側の吸入開口を吸入開口２６ｂとする。
【００４６】
また、ドレンパン本体２６には、ケーシング２の平面視において、複数（ここでは、２つ）の吹出開口２６ｃ、２６ｄが形成されている。吹出開口２６ｃ、２６ｄは、ケーシング２の平面視において、ドレンパン本体２６のケーシング短辺方向の両端側（すなわち、側板２２、２４側）の位置に配置されている。吹出開口２６ｃ、２６ｄは、本実施形態において、ケーシング２の平面視において、ドレンパン本体２６の２つの長辺に沿って延びる細長い切り欠き部分である。尚、吹出開口２６ｃ、２６ｄのうち側板２２側の吹出開口を吹出開口２６ｃとし、側板２４側の吹出開口を吹出開口２６ｄとする。このように、ドレンパン本体２６に吹出開口２６ｃ、２６ｄが形成されることで、ケーシング２の下面には、ケーシング長辺方向に沿って、吹出開口２６ｃと側板２２の内面とによって囲まれた略長方形状の孔と、吹出開口２６ｄと側板２４の内面とによって囲まれた略長方形状の孔とが形成されている。
【００４７】
ケーシング２内には、送風ファン３が配置されている、送風ファン３は、本実施形態において、各吸入開口２６ａ、２６ｂに対向するように、かつ、回転軸線Ｏ−Ｏが上下方向に延びるように配置された２つの送風ファン３ａ、３ｂである。送風ファン３ａ、３ｂは、ターボファンからなる。送風ファン３ａは、天板２１の吸入開口２６ａに対向する位置に設けられたファンモータ３１ａと、ファンモータ３１ａに連結されて回転駆動される羽根車３２ａとを有しており、また、送風ファン３ｂは、天板２１の吸入開口２６ｂに対向する位置に設けられたファンモータ３１ａと、ファンモータ３１ａに連結されて回転駆動される羽根車３２ｂとを有している。羽根車３２ａ、３２ｂは、その下側から空気を吸入して外周側に向かって吹き出すことができる。
【００４８】
また、ドレンパン２ｂの吸入開口２６ａには、羽根車３２ａの吸入開口２６ａ側の先端付近から下方に向かって末広がりの形状を有するベルマウス４ａが配置されており、吸入開口２６ｂには、羽根車３２ｂの吸入開口２６ｂ側の先端付近から下方に向かって末広がりの形状を有するベルマウス４ｂが配置されている。
【００４９】
また、ケーシング２内には、ケーシング２の平面視において、ケーシング２の２つの長辺に沿うようにケーシング２内に熱交換器５が配置されている。熱交換器５は、本実施形態において、吹出開口２６ｃと送風ファン３ａ、３ｂとのケーシング短辺方向間をケーシング２の側板２２に沿って延びる熱交換器５ａと、吹出開口２６ｄと送風ファン３ａ、３ｂとのケーシング短辺方向間をケーシング２の側板２４に沿って延びる熱交換器５ｂとである。熱交換器５ａ、５ｂは、本実施形態において、側板２３の近傍位置から側板２５の近傍位置まで真っ直ぐに延びている。熱交換器５ａ、５ｂの上端は、ケーシング２の天板２１の内面からドレンパン２ｂの上面に向かって略鉛直下方に向かって延びている。熱交換器５ａ、５ｂは、例えば、クロスフィン等を用いたフィンアンドチューブ型熱交換器やコルゲートフィン等を用いた積層型熱交換器等からなる。熱交換器５には、ケーシング２の外側に設置される冷媒連絡管５１、５２との間で冷媒のやりとりするための冷媒管５３、５４が接続されており（熱交換器５との接続の詳細は図示せず）、ケーシング２の側板２３を貫通するように配置されている。冷媒連絡管５１、５２は、図示しない室外ユニット等に接続されており、空気調和装置１との間で冷媒を循環するための冷媒回路を構成している。
【００５０】
また、ケーシング２の下端部には、化粧パネル６が装着されている。化粧パネル６は、平面視において、ケーシング２（すなわち、天板２１やドレンパン２ｂ）よりも大きな略長方形状の部材であり、ケーシング２の２つの吸入開口２６ａ、２６ｂの両方に連通する吸入口６１と、ケーシング２の各吹出開口２６ｃ、２６ｄに連通する吹出口６２ａ、６２ｂとが形成されている。吹出口６２ａ、６２ｂは、吹出開口２６ｃ、２６ｄに上下方向に対向するように、かつ、化粧パネル６の長辺に沿うように配置された細長い略長方形状の孔である。吸入口６１は、吹出口６２ａと吹出口６２ｂとによって両側から挟まれる位置に配置された開口である。また、吸入口６１の略中央には、吸入口６１の開口サイズよりも小さなカバーパネル６１ａが配置されており、カバーパネル６１ａの化粧パネル短辺方向両側に実質的な吸入口が形成されている。さらに、吸入口６１のカバーパネル６１ａの上側には、フィルタ６１ｂが配置されている。
【００５１】
（２）ドレンパンの詳細構造及びドレンポンプ
まず、ドレンパン２ｂの詳細構造について説明する。ドレンパン２ｂには、熱交換器５において空気中の水分が凝縮されることによって発生したドレン水を受ける溝部としてのドレン水受け部２６ｅ、２６ｆ、２６ｇ及びドレン水貯留部２６ｈが形成されている。
【００５２】
ドレン水受け部２６ｅは、熱交換器５ａの下端が挿入可能な略Ｕ字形状の断面を有しており、熱交換器５ａの下側に配置されている、ドレン水受け部２６ｅは、その底面が、側板２５側の端部からケーシング長辺方向の略中央に向かって下り勾配をなすように、また、側板２３側の端部からケーシング長辺方向の略中央に向かって下り勾配をなすように形成されている。このドレン水受け部２６ｅにおける勾配の傾斜角度α（図４参照）は、ケーシング長辺方向側板２５側の端部又はケーシング長辺方向側板２３側の端部からケーシング長辺方向の略中央に向かってドレン水を流すことができる角度以上になるように設定されている。これにより、熱交換器５ａにおいてドレン水が発生した場合には、このドレン水は、ドレン水受け部２６ｅによって受けられて、ドレン水受け部２６ｅのケーシング長辺方向の略中央に向かって流れるようになっている。
【００５３】
ドレン水受け部２６ｆは、熱交換器５ｂの下端が挿入可能な略Ｕ字形状の断面を有しており、熱交換器５ｂの下側に配置されている。ドレン水受け部２６ｆは、ドレン水受け部２６ｅと同様に、その底面が、側板２５側の端部からケーシング長辺方向の略中央に向かって下り勾配をなすように、また、側板２３側の端部からケーシング長辺方向の略中央に向かって下り勾配をなすように形成されている。このドレン水受け部２６ｆにおける勾配の傾斜角度β（図５参照）は、ケーシング長辺方向側板２５側の端部又はケーシング長辺方向側板２３側の端部からケーシング長辺方向の略中央に向かってドレン水を流すことができる角度以上になるように設定されている。本実施形態では、傾斜角度βと傾斜角度αとは、同じ角度に設定されている。これにより、熱交換器５ｂにおいてドレン水が発生した場合には、このドレン水は、ドレン水受け部２６ｆによって受けられて、ドレン水受け部２６ｆのケーシング長辺方向の略中央に向かって流れるようになっている。
【００５４】
ドレン水受け部２６ｇは、本実施形態において、熱交換器５ｂのケーシング長辺方向略中央の位置からケーシング短辺方向側板２２側に向かって延びる略Ｕ字形状の断面を有している。より具体的には、ドレン水受け部２６ｇは、送風ファン３ａと送風ファン３ｂとのケーシング長辺方向間を延びるように配置されている。ドレン水受け部２６ｇは、その底面が、ドレン水受け部２６ｆ側の端部からケーシング短辺方向側板２２側に向かって下り勾配をなすように形成されている。このドレン水受け部２６ｇにおける勾配の傾斜角度γ（図６参照）は、ドレン水受け部２６ｆ側の端部からケーシング短辺方向側板２２側に向かってドレン水を流すことができる角度以上になるように設定されている。本実施形態では、傾斜角度γと傾斜角度α、βとは、同じ角度に設定されている。これにより、熱交換器５ｂにおいてドレン水が発生した場合には、このドレン水は、まず、上述のように、ドレン水受け部２６ｆによって受けられてドレン水受け部２６ｆのケーシング長辺方向の略中央まで流れた後、さらに、ドレン水受け部２６ｇのドレン水受け部２６ｆ側の端部からケーシング短辺方向側板２２側に向かって流れるようになっている。
【００５５】
ドレン水貯留部２６ｈは、本実施形態において、ドレンパン２ｂのケーシング長辺方向の略中央に配置された比較的大容量の容器部分である。より具体的には、ドレン水貯留部２６ｈは、送風ファン３ａと送風ファン３ｂとのケーシング長辺方向間に配置されており、平面視が略長方形状の容器部分となっている。ドレン水貯留部２６ｈは、その底面が、ドレン水受け部２６ｅのケーシング長辺方向の略中央の部分の底面の高さ、及び、ドレン水受け部２６ｇのケーシング短辺方向側板２２側の部分の底面の高さよりも低くなるように設定されており、熱交換器５において空気中の水分が凝縮されることによって発生したドレン水を受ける溝部としてのドレン水受け部２６ｅ、２６ｆ、２６ｇ及びドレン水貯留部２６ｈの中で最も底面が低い部分（すなわち、最下部）を構成している。そして、ドレン水貯留部２６ｈは、ドレン水受け部２６ｅのケーシング長辺方向の略中央の部分と連通しており、ドレン水受け部２６ｅにおいて受けられたドレン水を流入させることができるようになっている。より具体的には、ドレン水貯留部２６ｈは、ケーシング短辺方向側板２２側の部分がドレン水受け部２６ｅのケーシング長辺方向の略中央の部分に接するように配置されている。また、ドレン水貯留部２６ｈは、ドレン水受け部２６ｇのケーシング短辺方向側板２２側の部分と連通しており、ドレン水受け部２６ｆにおいて受けられたドレン水を、ドレン水受け部２６ｇを通じて流入させることができるようになっている。より具体的には、ドレン水貯留部２６ｈは、ケーシング短辺方向側板２４側の部分がドレン水受け部２６ｇのケーシング短辺方向側板２４側の部分に接するように配置されている。
【００５６】
尚、本実施形態においては、ドレン水受け部２６ｇが、ドレン水受け部２６ｆのケーシング長辺方向の略中央の部分から側板２２側に向かって延びており、かつ、ドレン水貯留部２６ｈがドレン水受け部２６ｅ寄りに配置されているが、これに限定されず、例えば、ドレン水受け部２６ｇが、ドレン水受け部２６ｅのケーシング長辺方向の略中央の部分から側板２４側に向かって延びており、かつ、ドレン水貯留部２６ｈがドレン水受け部２６ｆ寄りに配置されていてもよい。また、ドレン水受け部２６ｇが、ドレン水受け部２６ｅのケーシング長辺方向の略中央の部分から側板２４側に向かって延びるとともに、ドレン水受け部２６ｆのケーシング長辺方向の略中央の部分から側板２２側に向かって延びており、かつ、ドレン水貯留部２６ｈがドレン水受け部２６ｅとドレン水受け部２６ｆとのケーシング短辺方向の略中央に配置されていてもよい。
【００５７】
次に、ドレンポンプ７について説明する。ドレン水貯留部２６ｈには、ドレン水受け部２６ｅ、２６ｆ、２６ｇ及びドレン水貯留部２６ｈで受けられたドレン水をケーシング２外に排出するドレンポンプ７が配置されている。ドレンポンプ７は、主として、ポンプ本体７１と、ポンプ本体７１を回転駆動するポンプモータ７２とを有している。ポンプ本体７１は、本実施形態において、ドレン水貯留部２６ｈに貯留されたドレン水を汲み上げる型式のポンプであり、その下端部に位置する吸込口７１ａがドレン水貯留部２６ｈの底面に近接するように形成され、その側部（ここでは、側板２２側の側部）に位置する吐出口７１ｂが形成されている。ポンプモータ７２は、本実施形態において、ポンプ本体７１の上側に配置されており、例えば、サポート部材７３を介してポンプ本体７１を軸支した状態で天板２１に固定されている。
【００５８】
このように、本実施形態の空気調和装置１では、熱交換器５において空気中の水分が凝縮されることによって発生したドレン水を受ける溝部の最下部としてのドレン水貯留部２６ｈが、ドレンパン２ｂのケーシング長辺方向の略中央に配置されているため、従来の天井設置型の空気調和装置のように、ドレン水貯留部２６ｈがケーシング長辺方向の一端側（例えば、側板２３側）に配置される場合に比べて、ドレン水受け部２６ｅ、２６ｆのうちドレン水貯留部２６ｈから最も離れた部分（すなわち、ドレン水受け部２６ｅ、２６ｆのうちケーシング長辺方向の他端側（例えば、側板２５側）の部分）までの距離が短くなる。そうすると、上述のようにドレン水受け部２６ｅ、２６ｆに上述の傾斜角度αやβの勾配を設けるために必要なドレンパン２ｂの高さ寸法を小さくすることができ、その結果、空気調和装置１の薄型化が実現されている。また、空気調和装置１では、ドレンポンプ７が、熱交換器５のケーシング２の２つの長辺の一方（ここでは、側板２２に対応）に沿う部分である熱交換器５ａと、熱交換器５のケーシング２の２つの長辺の一方（ここでは、側板２４に対応）に沿う部分である熱交換器５ｂとの間に配置されているため、ドレンポンプ７の運転音に起因する騒音を小さくすることができるようになっている。
【００５９】
また、ポンプ本体７１の吐出口７１ｂには、ポンプ本体７１が吐出するドレン水をケーシング２の外側に設置されるドレン排水管７４まで送るためのドレン管７５が接続されている。これにより、冷房運転や除湿運転のように、送風ファン３から吹き出される空気が熱交換器５を通過して冷却される運転が行われることによって空気中の水分が凝縮してドレン水が発生すると、このドレン水がドレン管７５を通じてケーシング２外のドレン排水管７４まで送られることになる。そして、このドレン管７５は、送風ファン３（ここでは、送風ファン３ａ）と熱交換器５（ここでは、熱交換器５ａ）との間に配置されている。このように、ドレン管７５が送風ファン３と熱交換器５との間に設置されている場合には、送風ファン３から吹き出された空気がドレン管７５を通過することになる。そうすると、送風ファン３から吹き出された空気は、ドレン管７５内を流れるドレン水によって冷却されることになる。これにより、空気調和装置１では、冷房運転や除湿運転のような熱交換器５を通過する空気が冷却される運転が行われることにより発生したドレン水の冷熱を有効に利用することができるようになっている。しかも、本実施形態のように、ドレン管７５が送風ファン３と熱交換器５との間に配置されている場合（すなわち、ドレン管７５が流れの上流側に配置されている場合）には、送風ファン３から吹き出された空気が、熱交換器５内を流れる冷媒よりも少し温度の高いドレン水が流れるドレン管７５を通過した後に、熱交換器５を通過することになるため、温度レベルの高い冷熱源を先に空気の冷却に利用することができて、さらにドレン水の冷熱の有効利用が促進されることになる。
【００６０】
また、本実施形態において、ドレン管７５は、銅製である。このため、ドレン管７５の熱伝導率が高く、上述のドレン水による空気の冷却をさらに促進することができるようになっている。
【００６１】
また、本実施形態において、ドレン管７５は、熱交換器５において空気中の水分が凝縮されることによって発生したドレン水を受ける溝部としてのドレン水受け部２６ｅ、２６ｆ及びドレン水貯留部２６ｈの略直上の位置に配置されている。より具体的には、ドレン管７５は、ドレン水貯留部２６ｈの直上に位置する吐出口７１ｂから上方に向かって延びた後に、ドレン水貯留部２６ｈをケーシング短辺方向側板２２側に横切ってドレン水受け部２６ｅの直上の位置（ここでは、熱交換器５ａの送風ファン３側の位置）に達するまでケーシング短辺方向側板２２側に向かって延びている。さらに続いて、ドレン管７５は、ドレン水受け部２６ｅの直上の位置をケーシング長辺方向側板２３側に向かって延びた後に側板２３を貫通するように配置されている。このように、空気調和装置１では、ドレン管が、熱交換器５において空気中の水分が凝縮されることによって発生したドレン水を受ける溝部としてのドレン水受け部２６ｅ、２６ｆ及びドレン水貯留部２６ｈの直上の位置に配置されているため、熱交換器５を通過する空気が冷却される運転が行われることにより、ドレン管７５において発生したドレン水を確実に受けることができる。
【００６２】
また、ドレン管７５は、本実施形態において、ドレン排水管７４に向かって下り勾配になるように配置されている。より具体的には、ドレン管７５の大部分を占めるケーシング長辺方向側板２３側に向かって延びる部分７５ａが側板２３側に向かって下り勾配になるように設定されている。これにより、空気調和装置１では、ドレン水のケーシング２外への排水が促進され、ドレンポンプ７の停止時にドレン水貯留部２６ｈに逆流するドレン水の量を減らすことができるようになっている。
【００６３】
また、ドレン管７５は、冷媒管５３、５４がケーシング２の側板２３を貫通する位置の近傍の位置からケーシング２（ここでは、側板２３）を貫通するように配置されている。これにより、空気調和装置１では、冷媒管５３、５４の配管施工を行う際にドレン管７５を配管施工も併せて容易に行うことができ、配管施工の作業性を向上させることができるようになっている。一方、ドレン水のケーシング２外への排水性やドレンポンプ７の停止時の逆流防止等を考慮すると、ドレン管７５をできるだけ短くすることが望ましいが、本実施形態のようにドレンポンプ７がケーシング２の略中央に配置される場合には、ドレン管７５の長さが長くなってしまう。しかし、空気調和装置１では、上述のように、ドレン管７５をドレン排水管７４に向かって下り勾配になるように配置することで、ドレン水のケーシング２外への排水性やドレンポンプ７の停止時の逆流防止等に対する考慮がなされているため、ドレン管７５の長さを長くすることができるようになっている。すなわち、空気調和装置１では、本実施形態のようにドレンポンプ７がケーシング２の略中央に配置されるという、ドレン水のケーシング２外への排水性やドレンポンプ７の停止時の逆流防止等、又は、配管施工の作業性の向上に不利な機器配置でありながら、これらの問題が解決できるように構成されている。
【００６４】
（３）変形例１
上述の実施形態においては、熱交換器５ａ、５ｂが、図２や図３に示されるように、ケーシング２を長辺方向から見た際において、天板２１からドレン水受け部２６ｅ、２６ｆに向かって鉛直下向きに延びる形状を有しているが、図７や図８に示されるように、ケーシング２を長辺方向から見た際において、傾斜して配置されていてもよい。本変形例においては、熱交換器５ａは、送風ファン３ａ、３ｂに対して、上部が下部よりも遠い側（すなわち、ケーシング短辺方向側板２２側）に傾斜するように配置されている。熱交換器５ｂは、送風ファン３ａ、３ｂに対して、上部が下部よりも遠い側（すなわち、ケーシング短辺方向側板２４側）に傾斜するように配置されている。
【００６５】
本変形例では、熱交換器５をケーシング２内において傾斜するように配置しているため、熱交換器５の伝熱面積を大きくすることができるため、熱交換能力を向上させたり、ケーシング２の長辺方向のサイズを小さくすることができる。そして、ケーシング２の長手方向のサイズを小さくする場合には、ドレン水受け部２６ｅ、２６ｆのうちドレン水貯留部２６ｈから最も離れた部分（すなわち、ドレン水受け部２６ｅ、２６ｆのうちケーシング長辺方向の他端側（例えば、側板２５側）の部分）までの距離を短くなるため、ドレン水受け部２６ｅ、２６ｆに勾配を設けるために必要なドレンパン２ｂの高さ寸法を小さくすることができるようになる。
【００６６】
また、熱交換器５は、送風ファン３ａ、３ｂに対して、上部が下部よりも遠い側に傾斜するように配置されているため、溝部としてのドレン水受け部２６ｅの略直上に大きなスペースが形成されることになり、ドレン管７５をドレン水受け部２６ｅの略直上に確実に配置できるようになる。
【００６７】
（４）変形例２
上述の実施形態においては、図３に示されるように、ケーシング２の平面視において、熱交換器５ａ、５ｂが側板２３の近傍位置から側板２５の近傍位置まで真っ直ぐに延びており、これに対応するように、ドレンパン２ｂのドレン水受け部２６ｅ、２６ｆも側板２３の近傍位置から側板２５の近傍位置まで真っ直ぐに延び、かつ、ドレン水受け部２６ｅ、２６ｆとドレン水貯留部２６ｈとを連通させるドレン水受け部２６ｇがケーシング短辺方向に延びるように形成されているが、図９に示されるように、ケーシング２の平面視において、熱交換器５の２つの長辺の一方に沿う部分（ここでは、熱交換器５ｂ）のうち、ケーシング長辺方向の略中央の部分である熱交中央部５５ｂが、ケーシング２の他方の長辺側（すなわち、ケーシング短辺方向側板２２側）に向かって突出するような形状にし、これに対応するように、ドレンパン２ｂのドレン水受け部２６ｅ、２６ｆ（ここでは、ドレン水受け部２６ｆ）のケーシング長辺方向の略中央の部分をケーシング短辺方向側板２２側に突出するような形状にしてもよい。また、図１０に示されるように、熱交換器５ｂ及びドレン水受け部２６ｆだけでなく、熱交換器５ａ及びドレン水受け部２６ｅについても、熱交換器５ａのケーシング長辺方向の略中央の部分である熱交中央部５５ａが、ケーシング短辺方向側板２４側に向かって突出するような形状にし、これに対応するように、ドレンパン２ｂのドレン水受け部２６ｅのケーシング長辺方向の略中央の部分をケーシング短辺方向側板２４側に突出するような形状にしてもよい。尚、本変形例においては、熱交中央部５５ａ、５５ｂは、送風ファン３ａと送風ファン３ｂとのケーシング長辺方向間のスペースに対向する部分をいい、このスペースに向かって突出しているともいえる。
【００６８】
これにより、ドレンパン２ｂのドレン水受け部２６ｇを省略して、ケーシング長辺方向の略中央の位置において、ドレン水受け部２６ｅ、２６ｆとドレン水貯留部２６ｈとを直接繋ぐことができる。しかも、熱交中央部５５ｂをケーシング２の短辺方向側板２２側に突出させたり、熱交中央部５５ａをケーシング２の短辺方向側板２４側に突出させることによって、熱交換器５の伝熱面積を大きくすることができるため、熱交換能力を向上させたり、ケーシング２の長辺方向のサイズを小さくすることができる。そして、ケーシング２の長手方向のサイズを小さくする場合には、ドレン水受け部２６ｅ、２６ｆのうちドレン水貯留部２６ｈから最も離れた部分（すなわち、ドレン水受け部２６ｅ、２６ｆのうちケーシング長辺方向の他端側（例えば、側板２５側）の部分）までの距離を短くなるため、ドレン水受け部２６ｅ、２６ｆに勾配を設けるために必要なドレンパン２ｂの高さ寸法を小さくすることができるようになる。
【００６９】
また、図９や図１０に示されるように、熱交換器５ａ、５ｂの熱交中央部５５ａ、５５ｂをケーシング短辺方向に突出させるだけでなく、図１１に示されるように、熱交換器５ａのケーシング長辺方向側板２３側の端部である熱交端部５６ａやケーシング長辺方向側板２５側の端部である熱交端部５７ａをケーシング短辺方向側板２４側に向かって突出するような形状にしたり、熱交換器５ｂのケーシング長辺方向側板２３側の端部である熱交端部５６ｂやケーシング長辺方向側板２５側の端部である熱交端部５７ｂをケーシング短辺方向側板２２側に向かって突出するような形状にしてもよい。これにより、さらに、熱交換器５の伝熱面積を大きくすることができるため、熱交換能力を向上させたり、ケーシング２の長辺方向のサイズを小さくすることができる。そして、ケーシング２の長手方向のサイズを小さくする場合には、ドレン水受け部２６ｅ、２６ｆのうちドレン水貯留部２６ｈから最も離れた部分（すなわち、ドレン水受け部２６ｅ、２６ｆのうちケーシング長辺方向の他端側（例えば、側板２５側）の部分）までの距離を短くなるため、ドレン水受け部２６ｅ、２６ｆに勾配を設けるために必要なドレンパン２ｂの高さ寸法を小さくすることができるようになる。
【００７０】
また、図９、図１０及び図１１に示されるように、熱交換器５ａ、５ｂの熱交中央部５５ａ、５５ｂをケーシング短辺方向に突出させる場合には、熱交換器５ａ、５ｂの熱交中央部５５ａ、５５ｂの反送風ファン３側にスペースが形成されるため、このスペースを有効利用するため、例えば、図１２に示されるように、ドレン水受け部２６ｅのケーシング長辺方向の略中央の部分とドレン水受け部２６ｆのケーシング長辺方向の略中央の部分とをドレン水受け部２６ｇを介して繋ぐとともに、ドレン水受け部２６ｅ、２６ｆ（ここでは、ドレン水受け部２６ｅ）の反送風ファン３側にドレン水貯留部２６ｈを形成して、ドレン水受け部２６ｅ、２６ｆ（ここでは、ドレン水受け部２６ｅ）に繋ぎ、ドレン水貯留部２６ｈにドレンポンプ７を配置するようにしてもよい。
【００７１】
［他の実施形態］
以上、本発明の実施形態について図面に基づいて説明したが、具体的な構成は、これらの実施形態に限られるものではなく、発明の要旨を逸脱しない範囲で変更可能である。
【００７２】
例えば、上述の実施形態及びその変形例では、天井埋込型の形態で設置される空気調和装置に本発明を適用した例について説明したが、天井吊下型の形態で設置される空気調和装置に本発明を適用してもよい。
【産業上の利用可能性】
【００７３】
本発明を利用すれば、平面視が略長方形状のケーシングと、ケーシングの２つの長辺方向に沿うようにケーシング内に配置された熱交換器と、熱交換器の短辺方向間に配置された送風ファンとを備えた天井設置型空気調和装置において、ドレンパンの高さ寸法を小さくして、薄型化を可能にできる。
【図面の簡単な説明】
【００７４】
【図１】本発明の一実施形態にかかる天井設置型空気調和装置の外観斜視図である。
【図２】空気調和装置の概略断面図であって、図３のＡ−Ａ断面に相当する図である。
【図３】天板を取り除いた状態の空気調和装置を上方から見た概略平面図である。
【図４】空気調和装置の概略断面図であって、図３のＢ−Ｂ断面に相当する図である。
【図５】空気調和装置の概略断面図であって、図３のＣ−Ｃ断面に相当する図である。
【図６】空気調和装置の概略断面図であって、図３のＤ−Ｄ断面に相当する図である。
【図７】変形例１にかかる空気調和装置の概略断面図であって、図２に相当する図である。
【図８】変形例１にかかる天板を取り除いた状態の空気調和装置を上方から見た概略平面図である。
【図９】変形例２にかかる天板を取り除いた状態の空気調和装置を上方から見た概略平面図である。
【図１０】変形例２にかかる天板を取り除いた状態の空気調和装置を上方から見た概略平面図である。
【図１１】変形例２にかかる天板を取り除いた状態の空気調和装置を上方から見た概略平面図である。
【図１２】変形例２にかかる天板を取り除いた状態の空気調和装置を上方から見た概略平面図である。
【符号の説明】
【００７５】
１  空気調和装置
２  ケーシング
３  送風ファン
５  熱交換器
７  ドレンポンプ
２６ｅ、２６ｆ、２６ｇ  ドレン水受け部（溝部）
２６ｈ  ドレン水貯留部（溝部）
５５ａ、５５ｂ  熱交中央部
５６ａ、５６ｂ、５７ａ、５７ｂ  熱交端部
７５  ドレン管